(57)【特許請求の範囲】
【請求項１】
上面、側面、前面及び後面のうちの少なくとも前記上面及び前記側面に凹凸からなる装飾模様が形成された電子楽器の鍵において、
前記鍵の少なくとも前記上面、前記側面、前記前面及び前記後面、並びに前記装飾模様が一体的に形成された射出成形体であって、
前記鍵の成形型からの離型方向が前記鍵の上下方向であり、かつ、前記側面の表面粗さが、前記上面の表面粗さよりも小さく設定されていることを特徴とする電子楽器の鍵。
【請求項２】
上面、側面、前面及び後面のうちの少なくとも前記上面及び前記前面に凹凸からなる装飾模様が形成された電子楽器の鍵において、
前記鍵の少なくとも前記上面、前記側面、前記前面及び前記後面、並びに前記装飾模様が一体的に形成された射出成形体であって、
前記鍵の成形型からの離型方向が前記鍵の上下方向であり、かつ、前記前面の表面粗さが、前記上面の表面粗さよりも小さく設定されていることを特徴とする電子楽器の鍵。
【請求項３】
上面、側面、前面及び後面のうちの少なくとも前記側面及び前記前面に凹凸からなる装飾模様が形成された電子楽器の鍵において、
前記鍵の少なくとも前記上面、前記側面、前記前面及び前記後面、並びに前記装飾模様が一体的に形成された射出成形体であって、
前記鍵の成形型からの離型方向が前記鍵の上下方向であり、かつ、前記側面の表面粗さが、前記前面の表面粗さよりも小さく設定されていることを特徴とする電子楽器の鍵。
【請求項４】
上面、側面、前面及び後面のうちの少なくとも前記上面及び前記後面に凹凸からなる装飾模様が形成された電子楽器の鍵において、
前記鍵の少なくとも前記上面、前記側面、前記前面及び前記後面、並びに前記装飾模様が一体的に形成された射出成形体であって、
前記鍵の成形型からの離型方向が前記鍵の上下方向であり、かつ、前記後面の表面粗さが、前記上面の表面粗さよりも小さく設定されていることを特徴とする電子楽器の鍵。
【請求項５】
上面、側面、前面及び後面のうちの少なくとも前記側面又は前記前面に凹凸からなる装飾模様が形成された電子楽器の黒鍵において、
前記黒鍵の少なくとも前記上面、前記側面、前記前面及び前記後面、並びに前記装飾模様が一体的に形成された射出成形体であって、
前記黒鍵の成形型からの離型方向が前記黒鍵の上下方向であり、かつ、前記側面及び前記前面のうちの一方又は両方が下部側部分と上部側部分とで構成され、前記下部側部分の表面粗さが前記上部側部分の表面粗さよりも小さく設定されており、
前記下部側部分は、隣接する白鍵の押鍵状態においてのみ視認可能な部位であり、前記上部側部分は、隣接する白鍵の押鍵状態及び非押鍵状態のいずれの状態においても視認可能な部位であることを特徴とする電子楽器の黒鍵。
【発明の詳細な説明】
【技術分野】
【０００１】
本発明は、表面に凹凸模様が形成された電子楽器の鍵に関する。
【背景技術】
【０００２】
従来から、例えば下記特許文献１に示されているように、表面に凹凸を設けて木目調の模様を形成し、木製の鍵を模擬した電子楽器の鍵は知られている。この鍵は、射出成型によって形成される。この射出成型に用いる金型には、木目調の模様を形成するための線状の凹部を設けられており、木目調の模様が一体的に形成される。
【先行技術文献】
【特許文献】
【０００３】
【特許文献１】特開２００９−１６９３６１号公報
【発明の概要】
【０００４】
しかし、金型の開閉方向が、演奏者によって押される鍵の上面に垂直な方向（上下方向）である場合、鍵の外観及び触感を向上させるために、鍵の前面、後面及び側面の表面粗さを大きくすると、成形された鍵を金型から取り外し難くなる。
【０００５】
本発明は上記問題に対処するためになされたもので、その目的は、射出成型により一体的に模様を形成し、鍵の外観を良好にした電子楽器の鍵において、成形した鍵の成形型からの離型性を向上させることにある。なお、下記本発明の各構成要件の記載においては、本発明の理解を容易にするために、後述する実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、上面（１１ａ、２１ａ）、側面（１３ａ、１３ｂ、１４、２３、２４）、前面（１５ａ、１５ｂ、２５ａ、２５ｂ）及び後面（１２ａ、１２ｂ、２２ａ）のうちの少なくとも前記上面及び前記側面に凹凸からなる装飾模様が形成された電子楽器の鍵（１０、１０Ａ、２０）において、前記鍵の少なくとも前記上面、前記側面、前記前面及び前記後面、並びに前記装飾模様が射出成形により一体的に形成された射出成形体であって、前記鍵の成形型からの離型方向が前記鍵の上下方向であり、かつ、前記側面の表面粗さが、前記上面の表面粗さよりも小さく設定されていることにある。これによれば、上面の表面粗さよりも、側面の表面粗さを小さくしたので、成形された鍵のかじり（鍵と成形型との間に発生する大きな摩擦又は引っかかり）を最小限に抑えることができ、鍵を成形型からスムーズに取り外すことができる。なお、鍵を成形型から離型するとき、鍵を斜めに移動させることもあるが、この場合も鍵を上下方向に移動させることに含まれる。また、視覚的及び触覚的に最も目立つ上面に、前記鍵が適用された鍵盤装置において、隣接する鍵が押鍵されたときにのみ認識される側面よりも彫の深い装飾模様を施すことができる。また、側面の表面粗さを小さくしたことにより、側面の抜き勾配を小さくして、上面に対する側面の傾斜角度を垂直に近づけることができるので、鍵の外観を良好にできる。さらに、前記鍵が適用された鍵盤装置において、鍵間の隙間が大きくなることを防止でき、これによって、鍵盤装置の外観を良好にできる。なお、本発明においては、鍵における演奏者によって押される面を上面、演奏者側の面を前面、上面と前面とに隣接する面を側面、演奏者から見て奥側に向いた面を後面とする。
【０００７】
また、本発明の他の特徴は、上面、側面、前面及び後面のうちの少なくとも前記上面及び前記前面に凹凸からなる装飾模様が形成された電子楽器の鍵において、前記鍵の少なくとも前記上面、前記側面、前記前面及び前記後面、並びに前記装飾模様が射出成形により一体的に形成された射出成形体であって、前記鍵の成形型からの離型方向が前記鍵の上下方向であり、かつ、前記前面の表面粗さが、前記上面の表面粗さよりも小さく設定されていることにある。これによれば、上面の表面粗さよりも、前面の表面粗さを小さくしたので、成形された鍵のかじり（鍵と成形型との間に発生する大きな摩擦又は引っかかり）を最小限に抑えることができ、鍵を成形型からスムーズに取り外すことができる。なお、鍵を成形型から離型するとき、鍵を斜めに移動させることもあるが、この場合も鍵を上下方向に移動させることに含まれる。また、視覚的及び触覚的に最も目立つ上面に、前記鍵が適用された鍵盤装置において、面積が小さくあまり目立たない前面よりも彫の深い装飾模様を施すことができる。また、前面の表面粗さを小さくしたことにより、前面の抜き勾配を小さくして、上面に対する前面の傾斜角度を垂直に近づけることができるので、鍵の外観を良好にできる。
【０００８】
また、本発明の他の特徴は、上面、側面、前面及び後面のうちの少なくとも前記側面及び前記前面に凹凸からなる装飾模様が形成された電子楽器の鍵において、前記鍵の少なくとも前記上面、前記側面、前記前面及び前記後面、並びに前記装飾模様が射出成形により一体的に形成された射出成形体であって、前記鍵の成形型からの離型方向が前記鍵の上下方向であり、かつ、前記側面の表面粗さが、前記前面の表面粗さよりも小さく設定されていることにある。前面は面積が小さく、視覚的及び触覚的に目立ち難いが、前記鍵が適用された鍵盤装置において、隣接する鍵が押鍵されたときにのみ認識される側面の方がより目立ち難い。そこで、前面の表面粗さよりも側面の表面粗さを小さくした。これによれば、成形された鍵のかじり（鍵と成形型との間に発生する大きな摩擦又は引っかかり）を最小限に抑えることができ、鍵を成形型からスムーズに取り外すことができる。なお、鍵を成形型から離型するとき、鍵を斜めに移動させることもあるが、この場合も鍵を上下方向に移動させることに含まれる。また、側面に比べれば視覚的及び触覚的に目立つ前面に彫の深い装飾模様を施すことができる。また、側面の表面粗さを小さくしたことにより、側面の抜き勾配を小さくして、上面に対する側面の傾斜角度を垂直に近づけることができるので、鍵の外観を良好にできる。さらに、前記鍵が適用された鍵盤装置において、鍵間の隙間が大きくなることを防止でき、これによって、鍵盤装置の外観を良好にできる。
【０００９】
また、本発明の他の特徴は、上面、側面、前面及び後面のうちの少なくとも前記上面及び前記後面に凹凸からなる装飾模様が形成された電子楽器の鍵において、前記鍵の少なくとも前記上面、前記側面、前記前面及び前記後面、並びに前記装飾模様が射出成形により一体的に形成された射出成形体であって、前記鍵の成形型からの離型方向が前記鍵の上下方向であり、かつ、前記後面の表面粗さが、前記上面の表面粗さよりも小さく設定されていることにある。これによれば、上面の表面粗さよりも、後面の表面粗さを小さくしたので、成形された鍵のかじり（鍵と成形型との間に発生する大きな摩擦又は引っかかり）を最小限に抑えることができ、鍵を成形型からスムーズに取り外すことができる。なお、鍵を成形型から離型するとき、鍵を斜めに移動させることもあるが、この場合も鍵を上下方向に移動させることに含まれる。また、視覚的及び触覚的に最も目立つ上面に、前記鍵が適用された鍵盤装置において、ほとんど認識されることのない後面よりも彫の深い装飾模様を施すことができる。また、後面の表面粗さを小さくしたことにより、後面の抜き勾配を小さくして、上面に対する後面の傾斜角度を垂直に近づけることができるので、鍵の外観を良好にできる。
【００１０】
また、本発明の他の特徴は、上面、側面、前面及び後面のうちの少なくとも前記側面又は前記前面に凹凸からなる装飾模様が形成された電子楽器の黒鍵において、前記黒鍵の少なくとも前記上面、前記側面、前記前面及び前記後面、並びに前記装飾模様が射出成形により一体的に形成された射出成形体であって、前記黒鍵の成形型からの離型方向が前記黒鍵の上下方向であり、かつ、前記側面及び前記前面のうちの一方又は両方が下部側部分と上部側部分とで構成され、下部側部分の表面粗さが上部側部分の表面粗さよりも小さく設定されており、前記下部側部分は、隣接する白鍵の押鍵状態においてのみ視認不可能な部位であり、前記上部側部分は、隣接する白鍵の押鍵状態及び非押鍵状態のいずれの状態においても視認可能な部位であることにある。前記鍵が適用された鍵盤装置において、側面は、隣接する鍵が押鍵されたときにのみ視覚的及び触覚的に認識されるが、このとき、上部に比べて下部の方が目立ち難い。また、白鍵及び黒鍵の前面の上部側部分の模様は、押鍵時及び非押鍵時のいずれの状態においても認識される。一方、白鍵の前面の下部側部分は、押鍵時において、鍵盤装置内部に入り込むため、前面の下部側部分の模様は目立ち難い。また、黒鍵の前面の下部側部分は、隣接する鍵が押鍵されたときにのみ認識される。そこで、側面及び前面のうちの一方、又は両方の下部側部分の表面粗さを、上部側部分の表面粗さよりもそれぞれ小さくした。これによれば、成形された鍵のかじり（鍵と成形型との間に発生する大きな摩擦又は引っかかり）を最小限に抑えることができ、鍵を成形型からスムーズに取り外すことができる。なお、鍵を成形型から離型するとき、鍵を斜めに移動させることもあるが、この場合も鍵を上下方向に移動させることに含まれる。また、側面の下部側部分に比べて上部側部分に彫の深い装飾模様を施すことができる。また、前面の下部側部分に比べて上部側部分に彫の深い装飾模様を施すことができる。また、側面の上部側部分の表面粗さよりも下部側部分の表面粗さを小さくすることにより、側面の下部側部分の抜き勾配を小さくして、上面に垂直に近づけることができるので、鍵の外観を良好にできる。さらに、前記鍵が適用された鍵盤装置において、鍵間の隙間が大きくなることを防止でき、これによって、鍵盤装置の外観を良好にできる。また、前面の上部側部分の表面粗さよりも下部側部分の表面粗さを小さくすることにより、前面の下部側部分の抜き勾配を小さくして、上面に垂直に近づけることができるので、鍵の外観を良好にできる。
【図面の簡単な説明】
【００１１】
【図１Ａ】本発明の一実施形態に係る白鍵を斜め前方から見た斜視図である。
【図１Ｂ】図１Ａの白鍵を斜め後方から見た斜視図である。
【図２Ａ】本発明の一実施形態に係る黒鍵を斜め前方から見た斜視図である。
【図２Ｂ】図２Ａの黒鍵を斜め後方から見た斜視図である。
【図３Ａ】本発明の変形例に係る白鍵を斜め前方から見た斜視図である。
【図３Ｂ】図３Ａの白鍵を斜め後方から見た斜視図である。
【発明を実施するための形態】
【００１２】
以下、本発明の一実施形態に係る電子楽器の白鍵１０及び黒鍵２０について図１Ａ及び図１Ｂ並びに図２Ａ及び図２Ｂを用いて説明する。この白鍵１０及び黒鍵２０は、電子楽器の鍵盤装置を構成する部材であり、演奏者によって押鍵されて、演奏情報を入力するための部材である。以下の説明においては、白鍵１０及び黒鍵２０が鍵盤装置のフレームに組み付けられたとき、演奏者側から見て低音部側を左側とし、高音部側を右側とする。また、演奏者の手前側を前側とし、奥側を後側とする。図１Ａ及び図１Ｂに示す白鍵１０並びに図２Ａ及び図２Ｂに示す黒鍵２０は、硬質の合成樹脂による一体成型により、下方に開放された箱状に形成される。ただし、白鍵１０及び黒鍵２０は、下方に開放されていなくてもよい。すなわち、中実であってもよい。
【００１３】
白鍵１０の後端部には、前部側よりも低くなった段部１０ａが形成されている。白鍵１０は、この段部１０ａにて、鍵盤装置のフレームに揺動可能に支持される。また、白鍵１０の左側後部側には、黒鍵２０を配置するための切り欠き部１０ｂが形成されている。なお、図１Ａ及び図１Ｂに示す例においては、切り欠き部１０ｂは、鍵の左側に設けられているが、白鍵１０は、音名（Ｃ，Ｄ，Ｅ，Ｆ，Ｇ，Ａ及びＢ）ごとに切り欠き部１０ｂが設けられる位置が異なる。すなわち、切り欠き部１０ｂが鍵の右側又は左右両側に設けられる鍵もある。鍵盤装置において黒鍵２０に隣接しない白鍵１０には、切り欠き部１０ｂが設けられていない。また、白鍵１０の前端部には、上端部の薄い部分が僅かに前方に突出した突出部１０ｃが形成されている。この突出部１０ｃは、外観を良好にするために設けられているものである。
【００１４】
白鍵１０の上面部１１は、第１上面部１１ａ及び第２上面部１１ｂから構成されている。第１上面部１１ａ及び第２上面部１１ｂは、それぞれ左右方向よりも前後方向の方が長い板状に形成されている。第１上面部１１ａの左側後部は、切り欠き部１０ｂを形成するために切り欠かれている。第２上面部１１ｂは、第１上面部１１ａの後側に位置し、第１上面部１１ａよりも低くなっている。すなわち、第２上面部１１ｂが、段部１０ａの上面部に相当する。また、白鍵１０の後面部１２は、第１後面部１２ａ、第２後面部１２ｂ及び第３後面部１２ｃから構成されている。そして、第１上面部１１ａの後端と第２上面部１１ｂの前端は、左右方向かつ上下方向に延設された板状の第１後面部１２ａによって連結されている。
【００１５】
また、白鍵１０の左側面部１３は、第１左側面部１３ａ及び第２左側面部１３ｂから構成されている。第１左側面部１３ａ及び第２左側面部１３ｂは、それぞれ上下方向よりも前後方向の方が長い板状に形成されている。第１左側面部１３ａは、切り欠き部１０ｂより前方の部分の側面部であり、第２左側面部１３ｂは、切り欠き部１０ｂの側面部である。第１左側面部１３ａの後端と第２左側面部１３ｂの前端は、上下方向かつ左右方向に延設された板状の第２後面部１２ｂによって連結されている。すなわち、第２後面部１２ｂが、切り欠き部１０ｂの前面部に相当する。
【００１６】
また、白鍵１０の右側面部１４は、上下方向よりも前後方向の方が長い板状に形成されている。第２左側面部１３ｂ及び右側面部１４の後部の上端部は、段部１０ａを形成するために切り欠かれている。そして、第２上面部１１ｂ、左側面部１３及び右側面部１４の後端は、左右方向かつ上下方向に延設された板状の第３後面部１２ｃによって連結されている。また、第１左側面部１３ａと右側面部１４の前端の上端部は僅かに前方に突出していて、突出部１０ｃの側面部を構成している。また、白鍵１０の前面部１５は、第１前面部１５ａ及び第２前面部１５ｂからなる。第１上面部１１ａの前端並びに第１左側面部１３ａ及び右側面部１４の前端の上端部（すなわち、僅かに前方に突出した部分）は、左右方向かつ上下方向に延設された板状の第１前面部１５ａによって連結されている。また、第１左側面部１３ａ及び右側面部１４の前端の下部（すなわち、前方に突出した部分以外の部分）は、左右方向かつ上下方向に延設された板状の第２前面部１５ｂによって連結されている。第１前面部１５ａの下端と第２前面部１５ｂの上端は、左右方向かつ水平方向に延設された下面部１６によって連結されている。
【００１７】
白鍵１０の第１後面部１２ａ、第２後面部１２ｂ、第３後面部１２ｃ、第１左側面部１３ａ、第２左側面部１３ｂ、右側面部１４、第１前面部１５ａ及び第２前面部１５ｂには、抜き勾配が設けられている。第１後面部１２ａ、第２後面部１２ｂ、第３後面部１２ｃ、第１前面部１５ａ及び第２前面部１５ｂの抜き勾配は、それぞれ０°〜４５°、望ましくは、０°〜５°、さらに望ましくは０°〜３°に設定されている。第１左側面部１３ａ、第２左側面部１３ｂ及び右側面部１４の抜き勾配は、それぞれ０°〜８°、望ましくは０°〜３°、さらに望ましくは０°〜１°に設定されている。
【００１８】
白鍵１０の第１上面部１１ａ、第１後面部１２ａ、第２後面部１２ｂ、第１左側面部１３ａ、第２左側面部１３ｂ、右側面部１４及び前面部１５の表面には凹凸により木目調の模様が形成されている。第１上面部１１ａの表面には、前後方向に延びる複数の線状かつ凸状の第１上面凸部３１ａがそれぞれ左右に間隔を保って配置されていて、凹凸のある柾目模様が形成されている。また、第１左側面部１３ａ、第２左側面部１３ｂ及び右側面部１４の表面には、前後方向に延びる線状かつ凸状の、複数の第１左側面凸部３３ａ、第２左側面凸部３３ｂ及び右側面凸部３４がそれぞれ上下に間隔を保って配置されていて、凹凸のある柾目模様が形成されている。また、第１後面部１２ａ、第２後面部１２ｂ、第１前面部１５ａ及び第２前面部１５ｂの表面には、演奏者側から見て左側よりも右側が下方に位置するように傾斜して左右に延びる線状かつ凸状の、複数の第１後面凸部３２ａ、第２後面凸部３２ｂ、第１前面凸部３５ａ及び第２前面凸部３５ｂが上下に間隔を保って配置されていて、凹凸のある年輪模様が形成されている。第２上面部１１ｂ、第３後面部１２ｃ及び下面部１６は、演奏者に視覚的及び触覚的に認識されないので、模様が形成されず、平面状に形成されている。
【００１９】
端部が第１上面部１１ａの右側の縁部に到達している１つの第１上面凸部３１ａは、端部が右側面部１４の上側の縁部に到達している右側面凸部３４のうちの１つの右側面凸部３４に、第１上面部１１ａと右側面部１４とが交わる縁部にて繋がっている。また、端部が第１上面部１１ａの左側の縁部かつ第１左側面部１３ａの上側の縁部に到達している１つの第１上面凸部３１ａは、端部が第１左側面部１３ａの上側の縁部に到達している第１左側面凸部３３ａのうちの１つの第１左側面凸部３３ａに、第１上面部１１ａと第１左側面部１３ａが交わる縁部にて繋がっている。また、端部が第１上面部１１ａの左側の縁部かつ第２左側面部１３ｂの上側の縁部に到達している１つの第１上面凸部３１ａは、端部が第２左側面部１３ｂの上側の縁部に到達している第２左側面凸部３３ｂのうちの１つの第２左側面凸部３３ｂに、第１上面部１１ａと第２左側面部１３ｂが交わる縁部にて繋がっている。
【００２０】
また、端部が第１上面部１１ａの前側に到達している１つの第１上面凸部３１ａは、端部が第１前面部１５ａの上側の縁部に到達している第１前面凸部３５ａのうちの１つの第１前面凸部３５ａに、第１上面部１１ａと第１前面部１５ａが交わる縁部にて繋がっている。また、端部が第１上面部１１ａの後側に到達している１つの第１上面凸部３１ａは、端部が第１後面部１２ａの上部の縁部に到達している第１後面凸部３２ａのうちの１つの第１後面凸部３２ａに、第１上面部１１ａと第２後面部１２ａが交わる縁部にて繋がっている。また、端部が第１上面部１１ａの後ろ側の縁部かつ第２後面部１２ｂの上側の縁部に到達している１つの第１上面凸部３１ａは、端部が第２後面部１２ｂの上部の縁部に到達している第２後面凸部３２ｂのうちの１つの第２後面凸部３２ｂに、第１上面部１１ａと第２後面部１２ｂが交わる縁部にて繋がっている。
【００２１】
第１左側面凸部３３ａ、第２左側面凸部３３ｂ及び右側面凸部３４、第１後面凸部３２ａ、第２後面凸部３２ｂ、第１前面凸部３５ａ及び第２前面凸部３５ｂについても同様に、互いに隣接する各面部に設けられた線状の凸部に繋がっている。なお、上記のように下面部１６は鏡面状に形成されているので、第１前面凸部３５ａと第２前面凸部３５ｂは、実際には繋がっていないが、第１前面部１５ａと第２前面部１５ｂの前後方向のずれは僅かなので、第１前面凸部３５ａの下端部と第２前面凸部３５ｂの上端部の左右方向の位置を合わせておけば、演奏者側から前面部１５を見たときに、１つの模様として認識でき、違和感を生じさせないようにすることができる。
【００２２】
第１上面凸部３１ａの突出高さは、０．０１ｍｍ〜１ｍｍ、望ましくは０．０２ｍｍ〜０．５ｍｍ、さらに望ましくは０．０５ｍｍ〜０．３ｍｍに設定されている。第１前面凸部３５ａ及び第２前面凸部３５ｂの突出高さは、それぞれ０．０１ｍｍ〜０．９ｍｍ、望ましくは０．０２ｍｍ〜０．４ｍｍ、さらに望ましくは０．０５ｍｍ〜０．２ｍｍに設定されている。第１左側面凸部３３ａ、第２左側面凸部３３ｂ及び右側面凸部３４の突出高さは、それぞれ０．０１ｍｍ〜０．８ｍｍ、望ましくは０．０２ｍｍ〜０．３ｍｍ、さらに望ましくは０．０５ｍｍ〜０．１ｍｍに設定されている。第１後面凸部３２ａ及び第２後面凸部３２ｂの突出高さは、それぞれ０．０１ｍｍ〜０．８ｍｍ、望ましくは０．０２ｍｍ〜０．３ｍｍ、さらに望ましくは０．０５ｍｍ〜０．１ｍｍに設定されている。そして、第１上面凸部３１ａの間隔は、０．０３ｍｍ〜２２ｍｍ、望ましくは０．０５ｍｍ〜１２ｍｍ、さらに望ましくは０．０８ｍｍ〜８ｍｍに設定されている。また、第１前面凸部３５ａ及び第２前面凸部３５ｂの間隔は、それぞれ０．０３ｍｍ〜２２ｍｍ、望ましくは０．０５ｍｍ〜１２ｍｍ、さらに望ましくは０．０８ｍｍ〜８ｍｍに設定されている。第１左側面凸部３３ａ、第２左側面凸部３３ｂ及び右側面凸部３４の間隔は、それぞれ０．０３ｍｍ〜２２ｍｍ、望ましくは０．０５ｍｍ〜１２ｍｍ、さらに望ましくは０．０８ｍｍ〜８ｍｍに設定されている。第１後面凸部３２ａ及び第２後面凸部３２ｂの間隔は、それぞれ０．０３ｍｍ〜２２ｍｍ、望ましくは０．０５ｍｍ〜１２ｍｍ、さらに望ましくは０．０８ｍｍ〜８ｍｍに設定されている。第１上面部１１ａの表面の算術平均粗さＲａは、０．５μｍ〜７μｍ、望ましくは０．５μｍ〜４μｍに設定されている。第１左側面部１３ａ、第２左側面部１３ｂ及び右側面部１４の算術平均粗さＲａは、０．０３μｍ〜５．０μｍ、望ましくは０．０３μｍ〜２．０μｍに設定されている。また、第１前面部１５ａ及び第２前面部１５ｂの算術平均粗さＲａは、０．０５μｍ〜６．０μｍ、望ましくは０．０５μｍ〜３．０μｍに設定されている。第１後面部１２ａ、第２後面部１２ｂの算術平均粗さＲａは、０．０３μｍ〜５．０μｍ、望ましくは０．０３μｍ〜２．０μｍに設定されている。
【００２３】
黒鍵２０も、白鍵１０と同様に、板状の上面部２１、後面部２２、左側面部２３、右側面部２４及び前面部２５から構成されている。また、黒鍵２０の後端部には、前部側よりも低くなった支持部２０ａが形成されている。黒鍵２０は、この支持部２０ａにて、鍵盤装置のフレームに揺動可能に支持される。なお、黒鍵２０には、白鍵１０の切り欠き部１０ｂのような隣合う鍵を配置するための切り欠き部は設けられていないが、前端部の上部を斜めに切り欠いた切り欠き部２０ｂが設けられている。黒鍵２０の形状は、音名（Ｃ＃，Ｄ＃，Ｆ＃，Ｇ＃及びＡ＃）によらず一定である。また、黒鍵２０には、白鍵１０の突出部１０ｃのような突出部は設けられていない。上面部２１は、白鍵１０の上面部１１と同様に、第１上面部２１ａ及び第２上面部２１ｂからなる。後面部２２は、第１後面部１２ａ及び第２後面部２２ｂからなる。第２上面部２１ｂが支持部２０ａの上面部である。第１上面部２１ａの後端と第２上面部２１ｂの前端は、第１後面部２２ａによって連結されている。また、左側面部２３及び右側面部２４の後端は、第２後面部２２ｂによって連結されている。また、第１上面部２１ａの前端は、左側面部２３及び右側面部２４の前端よりもやや後方に位置している。左側面部２３及び右側面部２４の前端部の上部は、切り欠き部２０ｂを形成するために斜めに切り欠かれている。前面部２５は、第１前面部２５ａ及び第２前面部２５ｂからなる。第１上面部２１ａの前端、左側面部２３及び右側面部２４の前端部の上部であって斜めに切り欠かれた部分は、第１前面部２５ａによって連結されている。そして、第１前面部２５ａの下端、左側面部２３の前端及び右側面部２４の前端は、第２前面部２５ｂによって連結されている。
【００２４】
黒鍵２０の第１後面部２２ａ、第２後面部２２ｂ、左側面部２３、右側面部２４及び第２前面部２５ｂには、抜き勾配が設けられている。第１後面部２２ａ、第２後面部２２ｂ、及び第２前面部２５ｂの抜き勾配は、それぞれ０°〜１０°、望ましくは０°〜５°、さらに望ましくは０°〜３°に設定されている。左側面部２３及び右側面部２４の抜き勾配は、それぞれ０°〜８°、望ましくは０°〜３°、さらに望ましくは０°〜１°に設定されている。
【００２５】
黒鍵２０の第１上面部２１ａ、第１後面部２２ａ、左側面部２３、右側面部２４、第１前面部２５ａ及び第２前面部２５ｂの表面には、白鍵１０と同様の線状の凸部として、第１上面凸部４１ａ、第１後面凸部４２ａ、左側面凸部４３、右側面凸部４４、第１前面凸部４５ａ及び第２前面凸部４５ｂがそれぞれ設けられている。そして、各部に設けられた線状凸部は、互いに隣接する面部に設けられた線状の凸部に繋がっている。また、各線状凸部の突出高さ及び間隔は、白鍵１０と同様に設定され、各部の算術平均粗さＲａも白鍵１０と同等となっている。なお、第２上面部２１ｂ及び第２後面部２２ｂは、演奏者に視覚的及び触覚的に認識されないので、模様が形成されず、平面状に形成されている。
【００２６】
つぎに、白鍵１０を一体成型する射出成型機について説明する。なお、黒鍵２０を一体成型する射出成型機の構成は、白鍵１０の射出成型機と同様であるので、説明を省略する。白鍵１０を一体成形する射出成形機には、固定型と可動型からなる金型が備わっている。上記のように、白鍵１０は下方に開放された箱状に形成される。そのため、白鍵１０の上下方向が金型の型開閉方向となるように、固定型と可動型が設計されている。すなわち、固定型には、白鍵１０の表面側を成形するための凹部が設けられていて、可動型には、白鍵１０の内面側を成形するための凸部が設けられている。この固定型の凹部であって、白鍵１０の上面部１１、第１後面部１２ａ、第２後面部１２ｂ、第１左側面部１３ａ、第２左側面部１３ｂ、右側面部１４、第１前面部１５ａ及び第２前面部１５ｂの表面を成形するための成形面には、第１上面凸部３１ａ、第１後面凸部３２ａ、第２後面凸部３２ｂ、第１左側面凸部３３ａ、第２左側面凸部３３ｂ、右側面凸部３４、第１前面凸部３５ａ及び第２前面凸部３５ｂを形成するための線状の凹部がそれぞれ設けられている。
【００２７】
上記のように構成した白鍵１０及び黒鍵２０においては、各面部の表面に線状の凸部を設け、隣り合う面部が交わる縁部でそれらの線状の凸部が繋がるようにしたので、視覚的及び触覚的に木製の鍵を模擬できる。
【００２８】
また、成形された白鍵１０を固定型から取り外す際には、第１後面部１２ａ、第２後面部１２ｂ、第３後面部１２ｃ、第１左側面部１３ａ、第２左側面部１３ｂ、右側面部１４及び前面部１５に取り出し方向とは反対方向の摩擦力が働く。黒鍵２０においても、第１後面部１２ａ、第２後面部２２ｂ、左側面部２３、右側面部２４、及び第２前面部２５ｂに取り出し方向とは反対方向の摩擦力が働く。しかし、上記のように、模様の認識し易さに応じて、算術平均粗Ｒａを設定した。すなわち、白鍵１０の第１後面部１２ａ、第２後面部１２ｂ及び前面部１５の算術平均粗さＲａは小さく、第１左側面部１３ａ、第２左側面部１３ｂ及び右側面部１４の算術平均粗さＲａは第１後面部１２ａ、第２後面部１２、第１前面部１５ａ及び第２前面部１５ｂの算術平均粗さＲａよりもさらに小さい。黒鍵２０においても、第１後面部２２ａ、第２前面部２５ａ及び第２前面部２５ｂの算術平均粗さＲａは小さく、左側面部２３及び右側面部２４の算術平均粗さＲａは第１後面部１２ａ、第２前面部２５ａ及び第２前面部２５ｂの算術平均粗さＲａよりもさらに小さい。したがって、白鍵１０及び黒鍵２０の外観を良好にするとともに、射出成型において成形された白鍵１０及び黒鍵２０の離型性を向上させることができる。また、算術平均粗さＲａを小さくした面部については、抜き勾配を小さくできる。すなわち、第１左側面部１３ａ、第２左側面部１３ｂ、右側面部１４、左側面部２３、右側面部２４、第１後面部１２ａ、第２後面部１２ｂ、第１後面部２２ａなどを上面部１１及び上面部２１に対して垂直に近い切り立った形状とすることができ、白鍵１０及び黒鍵２０の外観を良好にできる。また、白鍵１０の左側面部１３及び右側面部１４並びに黒鍵２０の左側面部２３及び右側面部２４の算術平均粗さＲａを小さくしたので、左側面部１３及び右側面部１４並びに左側面部２３及び右側面部２４の抜き勾配を小さくすることができ、白鍵１０及び黒鍵２０が適用された鍵盤装置において、鍵間の隙間を小さくすることができる。これにより、鍵盤装置の外観を良好にできる。
【００２９】
さらに、本発明の実施にあたっては、上記実施形態に限定されるものではなく、本発明の目的を逸脱しない限りにおいて種々の変更が可能である。
【００３０】
上記実施形態においては、白鍵１０及び黒鍵２０の表面に形成される模様は、木目調とした。しかし、この模様は木目調に限られず、幾何学模様、文字など、どんな模様であってもよい。例えば、図３Ａ及び図３Ｂに示すように、白鍵において、上面及び前面にそれぞれ薄い板状の部材（例えば、板状に加工した象牙）を貼った白鍵を模擬した白鍵１０Ａとしてもよい。この白鍵１０Ａの外形は白鍵１０と同様であるので、白鍵１０と同じ符号を付して、外形の構成についての説明を省略する。第１上面部１１ａには、複数の線状の第１上面凸部６１ａが設けられている。これにより、白鍵の上面用の板状部材の表面に表れる模様を模擬している。また、第１後面部１２ａ、第２後面部１２ｂの上端部、第１左側面部１３ａの上端部、第２左側面部１３ｂの上端部であって第１後面部１２ａと第２後面部１２ｂの間の部分、右側面部１４の上端部であって第１前面部１５ａと第１後面部１２ａの間の部分、及び第１前面部１５ａにも、線状の複数の第１後面凸部６２ａ、第２後面凸部６２ｂ、第１左側面凸部６３ａ１、第２左側面凸部６３ｂ、右側面凸部６４ａ１、及び第１前面凸部６５ａがそれぞれ設けられている。これにより、第１上面部１１ａの外周に沿う領域であって、上下方向の幅が突出部１０ｃの上下方向の幅と同じ幅の領域に模様が形成される。すなわち、白鍵の上面用の板状部材の端面に表れる模様を模擬している。
【００３１】
また、第２前面部１５ｂにも、複数の線状の第２前面凸部６５ｂが設けられている。これにより、白鍵の前面用の板状部材の表面に表れる模様を模擬している。さらに、第１左側面部１３ａ及び右側面部１４の前端部の下部（すなわち、前方に突出していない部分）において上下方向に延びる領域であって、前後方向の幅が突出部１０ｃの上下方向の幅と同じ幅である領域にも、左側面凸部６３ａ２及び右側面凸部６４ａ２が設けられている。これにより、白鍵の前面用の板状部材の端面に表れる模様を模擬している。他の部分には、白鍵１０と同様に木目調の模様が設けられている。互いに隣り合う面部に設けられていて、白鍵の上面用の板状部材の模様を模擬するための線状の凸部同士は、その隣り合う面部の縁部にて繋がっている。また、互いに隣り合う面部に設けられていて、白鍵の前面用の板状部材の模様を模擬するための線状の凸部同士は、その隣り合う面部の縁部にて繋がっている。また、白鍵の上面用の板状部材の模様を模擬するための線状の凸部、白鍵の前面用の板状部材の模様を模擬するための線状の凸部及び木目調の模様を形成する線状の凸部は互いに繋がらないようにしている。なお、この白鍵１０Ａの板状部材を模擬した模様及び木目模様は、射出成型により一体的に設けられる。
【００３２】
第１上面凸部６１ａ、第１後面凸部６２ａ及び第２後面凸部６２ｂの突出高さ及び間隔が調整されて、第１上面部１１ａ、第１前面部１５ａ、第２前面部１５ｂ、第１後面部１２ａ及び第２後面部１２ｂの算術平均粗さＲａが上記の白鍵１０と同等に設定されている。また、第１前面凸部６５ａ、第２前面凸部６５ｂの突出高さ及び間隔が調整されて、第１前面部１５ａの算術平均粗さＲａが０．０５μｍ〜６．０μｍ、望ましくは０．０５μｍ〜３．０μｍに設定されている。第２前面部１５ｂの算術平均粗さＲａは、第１前面部１５ａの算術平均粗さＲａよりもやや小さく、０．０４μｍ〜６．０μｍ、望ましくは０．０４μｍ〜３．０μｍに設定されている。また、第１左側面凸部６３ａ１、第１左側面凸部６３ａ２、第２左側面凸部６３ｂ、右側面凸部６４ａ１及び右側面凸部６４ａ２の突出高さ及び間隔が調整されて、第１左側面部１３ａ、第２左側面部１３ｂ及び右側面部１４の上端部（すなわち、第１左側面凸部６３ａ１、第２左側面凸部６３ｂ及び右側面凸部６４ａ１が形成された部分）の算術平均粗さＲａが、０．０５μｍ〜６．０μｍ、望ましくは０．０５μｍ〜３．０μｍに設定されている。これにより、第１左側面部１３ａ、第２左側面部１３ｂ及び右側面部１４の下部（すなわち、第１左側面凸部３３ａ、第１左側面凸部６３ａ２、第２左側面凸部３３ｂ、右側面凸部３４及び右側面凸部６４ａ２が形成された部分）の算術平均粗さＲａが、第１左側面部１３ａ、第２左側面部１３ｂ及び右側面部１４の上端部よりもやや小さく設定されている。
【００３３】
なお、各面部の抜き勾配を、白鍵１０と同等に設定してもよいが、下部の表面粗さを上端部の表面粗さよりも小さくした左側面部１３、右側面部１４及び前面部１５においては、下部の抜き勾配を上端部の抜き勾配よりも小さくしてもよい。すなわち、第１前面部１５ａの抜き勾配を０°〜４５°、望ましくは０°〜５°、さらに望ましくは０°〜３°に設定してもよい。また、第２前面部１５ｂの抜き勾配を、第１前面部１５ａよりもやや小さく、０°〜４５°、望ましくは０°〜４°、さらに望ましくは０°〜２°に設定してもよい。また、第１左側面部１３ａ、第２左側面部１３ｂ及び右側面部１４の上端部の抜き勾配を０°〜１０°、望ましくは０°〜５°、さらに望ましくは０°〜３°に設定してもよい。また、第１左側面部１３ａ、第２左側面部１３ｂ及び右側面部１４の下部の抜き勾配を上端部の抜き勾配よりも小さく、０°〜８°、望ましくは０°〜３°、さらに望ましくは０°〜１°に設定してもよい。
【００３４】
上記のように構成した白鍵１０Ａによれば、複数の部材で構成された白鍵を模擬することができる。また、左側面部１３及び右側面部１４の模様は。鍵盤装置において、隣の白鍵が押鍵されたときにのみ演奏者によって認識される。そのため、左側面部１３及び右側面部１４の上部の模様は、左側面部１３及び右側面部１４の下部の模様に比べてより目立つ。そこで、上部の模様を鮮明にし、下部の模様を上部の模様よりも曖昧にした。また、第１前面部１５ａの模様は、押鍵時及び非押鍵時のいずれの状態においても認識されるが、第２前面部１５ｂの下部の模様は、押鍵時に鍵盤装置の内部に入り込んで、演奏者に認識されなくなる。そこで、第１前面部１５ａの模様を鮮明にし、第２前面部１５ｂの模様を第１前面部１５ａに比べて曖昧にした。射出成型における白鍵１０Ａの離型性は、白鍵１０の離型性に比べると若干低下するが、左側面部１３、右側面部１４及び前面部１５のうち、大部分の面積を占める下部の表面粗さを上部の表面粗さに比べて小さくしたので、射出成形における離型性の低下を最小限に留めることができる。
【００３５】
また、上記実施形態の黒鍵２０において、左側面部２３及び右側面部２４の下部（すなわち、第２前面部２５ｂと第２後面部２２ｂの間の部分）の抜き勾配を、左側面部２３及び右側面部２４の上部（すなわち、左側面部２３及び右側面部２４の上部であって第１前面部２５ａと第１後面部２２ａの間の部分であって、鍵盤装置に組み付けられたときに白鍵の上面より上方に突出する部分）の抜き勾配よりも小さくしてもよい。さらに、左側面凸部４３及び右側面凸部４４の突出高さ及び間隔を左側面部２３及び右側面部２４の上部と下部とで異なるように調整して、左側面部２３及び右側面部２４の下部の算術平均粗さＲａが、左側面部２３及び右側面部２４の上部の算術平均粗さＲａよりもやや小さくなるようにしてもよい。また、第２前面部２５ｂの模様は、鍵盤装置において、隣り合う鍵が押鍵されたときにのみ認識される。そこで、第１前面凸部４５ａ及び第２前面凸部４５ｂの突出高さ及び間隔を調整して、第２前面部２５ｂの算術表面粗さＲａが、第１前面部２５ａの算術平均粗さＲａよりも小さくなるように設定してもよい。これによれば、黒鍵２０の離型性をさらに向上させることができる。
【００３６】
また、上記実施形態及びその変形例においては、各面部に線状の凸部を設けて、模様を形成するようにした。しかし、各面部に突起状の凸部、線状の凹部、段差などを設けることにより、模様を形成してもよい。また、各面部の交わる縁部にて、模様を構成する線部が繋がっていなくてもよい。なお、各面部において、凹凸によって２種類以上の模様を設けた場合、その模様の境界線として認識される線部も凹凸による模様に含まれる。
【００３７】
また、上記実施形態及びその変形例においては、各面部に設けられた線状の凸部の突出高さ及び間隔を調整して、各面部の算術平均粗さＲａがそれぞれ所定の範囲になるようにした。しかし、各面部に設けられた線状の凸部の突出高さ及び間隔を調整して、各面部の最大高さＲｙ、十点平均粗さＲｚなどがそれぞれ所定の範囲になるようにしてもよい。
【００３８】
また、上記実施形態及びその変形例の白鍵１０，１０Ａの後端部には、段部１０ａが設けられているが、この段部１０ａを設けずに、白鍵１０，１０Ａの上面は、前端から後端にかけて連続した平面状に形成されていてもよい。また、白鍵１０，１０Ａの前端部には、突出部１０ｃが設けられているが、この突出部１０ｃを設けなくてもよい。
【符号の説明】
【００３９】
１０，１０Ａ…白鍵、１１ａ・・・第１上面部、１２ａ・・・第１後面部、１２ｂ・・・第２後面部、１３ａ・・・第１左側面部、１３ｂ・・・第２左側面部、１４…右側面部、１５ａ・・・第１前面部、１５ｂ・・・第２前面部、２０・・・黒鍵、２１ａ・・・第１上面部、２２ａ・・・第１後面部、２３・・・第１左側面部、２４・・・右側面部、２５ａ・・・第１前面部、２５ｂ・・・第２前面部、
【図１Ａ】
0005874162.tif 000002
【図１Ｂ】
0005874162.tif 000003
【図２Ａ】
0005874162.tif 000004
【図２Ｂ】
0005874162.tif 000005
【図３Ａ】
0005874162.tif 000006
【図３Ｂ】
0005874162.tif 000007